(57)【特許請求の範囲】
【請求項１】
対向する壁面を有する収容手段と、
この収容手段の前記壁面間に載置され、光を発する発光手段と、
情報を視覚的に表示する表示手段と、
弾力性のある素材からなり、前記表示手段の側面に嵌合する第１嵌合部と、前記収容手段の壁面に嵌合する第２嵌合部とをそれぞれ有し、前記表示手段を前記収容手段の対向する壁面間で保持する保持手段と具備し、
前記表示手段は、その表示面の厚みよりも薄い凸部を側面に有し、
前記第１嵌合部は、前記表示面を除く前記凸部に嵌合することを特徴とする表示装置。
【請求項２】
前記保持手段は、前記表示手段の少なくとも両側面に嵌合するものであって、前記表示手段を前記収容手段の対向する壁面間で保持することを特徴とする請求項１に記載の表示装置。
【請求項３】
前記第２嵌合部は、くさび形をなすことを特徴とする請求項１または請求項２に記載の表示装置。
【請求項４】
情報を視覚的に表示可能な表示部を備える携帯端末装置において、
前記表示部は、
対向する壁面を有する収容手段と、
この収容手段の前記壁面間に載置され、光を発する発光手段と、
情報を視覚的に表示する表示手段と、
弾力性のある素材からなり、前記表示手段の側面に嵌合する第１嵌合部と、前記収容手段の壁面に嵌合する第２嵌合部とをそれぞれ有し、前記表示手段を前記収容手段の対向する壁面間で保持する保持手段と具備し、
前記表示手段は、その表示面の厚みよりも薄い凸部を側面に有し、
前記第１嵌合部は、前記表示面を除く前記凸部に嵌合することを特徴とする携帯端末装置。
【請求項５】
前記保持手段は、前記表示手段の少なくとも両側面に嵌合するものであって、前記表示手段を前記収容手段の対向する壁面間で保持することを特徴とする請求項４に記載の携帯端末装置。
【請求項６】
前記第２嵌合部は、くさび形をなすことを特徴とする請求項４または請求項５に記載の携帯端末装置。
【発明の詳細な説明】
【０００１】
【発明の属する技術分野】
この発明は、例えば携帯電話システムやＰＨＳ（Personal Handyphone System）などの移動通信システムで用いられる移動無線端末装置や、ＰＤＡ（Personal Digital Assistance）などの携帯端末装置に用いられる表示装置に関する。
【０００２】
【従来の技術】
近時、携帯電話システムやＰＨＳなどの移動通信システムで用いられる移動無線端末装置や、ＰＤＡなどの携帯端末装置は、小型・軽量が求められる一方で、ＬＣＤ（Liquid Crystal Display）などを用いた表示部の大型化が進められ、１回の表示で多くの情報をユーザに伝達できるような改良が進められている。
【０００３】
従来の表示部は、図６に示すように構成される。
すなわち、ＬＣＤ１０の裏面（非表示側）とバックライト４０の発光面側とが両面テープ７によって接着され、これらがＬＣＤホルダ３０に納められている。
図７に、この断面を示す。
【０００４】
しかしながら、上記構成による従来の表示装置では、両面テープ７０の厚みだけ表示部の厚みが増すことになるとともに、バックライト４０からの明かりを両面テープが遮ってその影が生じるという不具合があり、小型化や限られた表示領域の効率化が求められる携帯端末装置にとっては、改良が求められる点であった。
【０００５】
これに対し従来は、ＬＣＤ１０とバックライト４０の側面にそれぞれ両面テープ７を張り付け、側面でＬＣＤホルダ３０に接着するという手法が用いられることもあったが、この手法では、組み立て効率が悪いだけでなく、接着力不足で確実に固定できないという問題があった。
【０００６】
上記のいずれの手法であっても、両面テープの接着の失敗、ゴミの除去や修理などのために分解する場合、分解作業に手間がかかるだけでなく、両面テープを剥がす際にＬＣＤ１０やバックライト４０を破損する虞があり、改良の要望が高かった。
【０００７】
【発明が解決しようとする課題】
従来の表示装置では、両面テープを用いてＬＣＤとバックライトをＬＣＤホルダ内に納めるようにしているため、両面テープの存在により表示領域に制約が生じるとともに、厚みが増したり、分解時に両面テープを剥がす作業でＬＣＤやバックライトを破損する虞があるという問題があった。
この発明は上記の問題を解決すべくなされたもので、厚みを薄くし、分解作業が容易で耐衝撃性に優れ、表示領域に制約のない表示装置を提供することを目的とする。
【０００８】
【課題を解決するための手段】
上記の目的を達成するために、請求項１に係わる本発明は、対向する壁面を有する収容手段と、この収容手段の壁面間に載置され、光を発する発光手段と、情報を視覚的に表示する表示手段と、弾力性のある素材からなり、表示手段の側面に嵌合する第１嵌合部と、収容手段の壁面に嵌合する第２嵌合部とをそれぞれ有し、表示手段を収容手段の対向する壁面間で保持する保持手段とを具備し、表示手段は、その表示面の厚みよりも薄い凸部を側面に有し、第１嵌合部は、上記表示面を除く上記凸部に嵌合するようにした。
【０００９】
また、請求項４に係わる本発明では、情報を視覚的に表示可能な表示部を備える携帯端末装置において、表示部は、対向する壁面を有する収容手段と、この収容手段の壁面間に載置され、光を発する発光手段と、情報を視覚的に表示する表示手段と、弾力性のある素材からなり、表示手段の側面に嵌合する第１嵌合部と、収容手段の壁面に嵌合する第２嵌合部とをそれぞれ有し、表示手段を収容手段の対向する壁面間で保持する保持手段とを具備し、表示手段は、その表示面の厚みよりも薄い凸部を側面に有し、第１嵌合部は、上記表示面を除く上記凸部に嵌合するようにした。
【００１０】
上記構成の表示装置および携帯端末装置では、収容手段の壁面間に発光手段を載置し、そして弾力性のある素材からなる保持手段を上記壁面および表示手段の側面に嵌合させて、表示手段を収容手段の対向する壁面間で保持し、上記表示手段の凸部に対し、表示面を除いて保持手段の第１嵌合部が嵌合するようにしている。
【００１１】
したがって、上記構成の表示装置および携帯端末装置によれば、両面テープなどの接着剤を用いることなく、表示手段を収容手段内に納めることができるので、接着剤分の厚みだけ全体の厚みを薄くできるとともに、表示領域に制約がなく、ゴミや埃などが表示手段と発光手段との間に挟まるようなことがあっても容易な分解作業で除去でき、そして保持手段の弾性力により、落下などによる破損の虞を著しく低下させることができるので、耐衝撃性に優れる。
【００１２】
【発明の実施の形態】
以下、図面を参照して、この発明に係わる表示装置の実施形態について説明する。
図１は、この発明の一実施形態に係わる表示装置の構成を示すもので、携帯電話システムやＰＨＳなどの移動通信システムで用いられる移動無線端末装置や、ＰＤＡなどの携帯端末装置などに搭載され、視覚的な表示手段として用いられるもので、上記端末装置に搭載される制御部（図示しない）によって表示制御される。
【００１３】
この図に示すように当該表示装置は、主な構成要素として、ＬＣＤ１と、弾性材２１，２２と、ＬＣＤホルダ３と、バックライト４とを備える。
ＬＣＤ１は、表面をガラスで覆う液晶表示ディスプレイであって、上記制御部によって表示制御され、文字や画像など種々の情報を視覚的に出力するもので、後述するバックライト４の光を背面より透過可能な構造となっている。
【００１４】
弾性材２１は、ゴムやこれに類似した弾力性のある素材からなり、上記ＬＣＤ１の左側面に取り付けられるものである。図２は、弾性材２１をＬＣＤ１に取り付けた状態を示すもので、この図に示すように、弾性材２１は、ＬＣＤ１以下の厚みを有し、ＬＣＤ１の左側面に設けられる凸部１１に嵌合する凹部２１１を備える。
また、弾性材２１は、上記凹部２１１の反対側に、後述するＬＣＤホルダ３と嵌合する凸部２１２を備える。
【００１５】
弾性材２２は、弾性材２１と同様に、ゴムやこれに類似した弾力性のある素材からなり、上記ＬＣＤ１の右側面に取り付けられるものである。そして図２に示すように、弾性材２２は、ＬＣＤ１以下の厚みを有し、ＬＣＤ１の右側面に設けられる凸部１２に嵌合する凹部２２１を備える。
また、弾性材２２は、上記凹部２２１の反対側に、後述するＬＣＤホルダ３と嵌合する凸部２２２を備える。
【００１６】
ＬＣＤホルダ３は、バックライト４およびＬＣＤ１を収容するシャーシであって、例えばアルミをダイカスト製法により形成したもので、左端には側壁３１が形成され、右端には側壁３２が形成される。
【００１７】
また、図２に示すように、側壁３１には、ＬＣＤ１の凸部２１２と嵌合する凹部３１１が形成され、同様に、側壁３２には、ＬＣＤ１の凸部２２２と嵌合する凹部３２１が形成される。
【００１８】
バックライト４は、蛍光管などを用いて薄い板状の発光体であり、ＬＣＤ１の背面に配置され、発光制御は上記制御部によって行われる。
【００１９】
次に、上記構成の表示装置の組み立て手順の一例について説明する。図３は、この組み立て手順を示すものである。
まず、図３（ａ）に示すように、ＬＣＤ１の左側面に弾性材２１を取り付けるとともに、ＬＣＤ１の右側面に弾性材２２を取り付ける。
【００２０】
そして、図３（ｂ）に示すように、側面に弾性材２１，２２を取り付けたＬＣＤ１を押圧して、弾性材２１，２２を適度に変形させる。
その後、図３（ｃ）に示すように、バックライト４をＬＣＤホルダ３上に発光面を上にして載置し、さらに側面の弾性材２１，２２を押圧しながらＬＣＤ１をバックライト４上に載置して、上記押圧を解放する。
【００２１】
すると、図３（ｄ）に示すように、弾性材２１，２２がそれぞれ復元して、弾性材２１の凸部２１２とＬＣＤホルダ３の凹部３１１が嵌合するとともに、弾性材２２の凸部２２２とＬＣＤホルダ３の凹部３２１が嵌合し、バックライト４がＬＣＤホルダ３上に載置された状態で、ＬＣＤ１は、弾性材２１，２２によりＬＣＤホルダ３内に固定される。
【００２２】
以上のように、上記構成の表示装置では、バックライト４がＬＣＤホルダ３上に載置された状態で、ＬＣＤホルダ３の左右端の設けられた側壁３１，３２間に、弾性材２１，２２を側面に取り付けたＬＣＤ１を圧入して、復元する弾性材２１，２２の各凸部２１２，２２２が側壁３１，３２の各凹部３１１，３２１に嵌合してＬＣＤ１が側壁３１，３２間に保持されるようにしている。
【００２３】
したがって、上記構成の表示装置によれば、ＬＣＤ１をＬＣＤホルダ３内に納めるのに、両面テープなどの接着剤を用いる必要がないので、接着剤分の厚みが薄くできるとともに、表示領域に制約のなく、ゴミや埃などがＬＣＤ１とバックライト４との間に挟まるようなことがあっても容易な分解作業で除去できる。
【００２４】
また、ＬＣＤ１は、弾性材２１，２２を介して、堅牢なアルミダイカスト製のＬＣＤホルダ３内に保持されるため、耐衝撃性に優れ、落下などによる破損の虞を著しく低下させることができる。
【００２５】
尚、この発明は上記実施の形態に限定されるものではない。
上記実施の形態で説明したように、弾性材２１，２２を側面に取り付けたＬＣＤ１をＬＣＤホルダ３内に圧入して、この圧入を解放すると、弾性材２１，２２は復元するが、側壁３１，３２間の長さを若干短くして、弾性材２１，２２がＬＣＤ１を保持した状態で完全に復元しないようにしてもよい。
【００２６】
このようにして、ＬＣＤ１を保持するようにすれば、弾性材２１，２２の復元力により、ＬＣＤ１はＬＣＤホルダ３の側壁３１，３２間により安定して保持されることになる。
【００２７】
なお、このように、弾性材２１，２２をＬＣＤホルダ３内で完全に復元させないようにする場合には、完全に復元しない弾性材２１，２２が、その変形によりＬＣＤ１の厚み以上にならないことを考慮して、弾性材２１，２２の厚みを設定することはいうまでもない。
また、バックライト４については、ＬＣＤホルダ３上に両面テープなどにより接着してもよい。
【００２８】
そしてまた、上記実施の形態では、弾性材２１，２２をＬＣＤ１の左右に取り付けて、ＬＣＤ１の左右をＬＣＤホルダ３で保持するようにしたが、これに代わり例えば、図４に示すように、ＬＣＤ１の上部にも弾性材を設けるために、左右部と上部の弾性材を一体化させた「コ」の字型の弾性材５によって、ＬＣＤ１をＬＣＤホルダ３の壁面間に保持するようにしてもよい。
【００２９】
すなわち、ＬＣＤ１は少なくとも対向する２辺に弾性材を設けて、ＬＣＤホルダ３の壁面間に保持すればよく、その他、ＬＣＤ１の外周を「ロ」の字型の弾性材で覆って、ＬＣＤ１をＬＣＤホルダ３の４つの壁面で保持したり、あるいは、ＬＣＤ１の四隅に弾性材を設けて、ＬＣＤホルダ３の四隅でＬＣＤ１を保持するようにしてもよい。
【００３０】
さらにまた、ＬＣＤホルダ３の凹部３１１，３２１にそれぞれ嵌合する弾性材２１，２２の凸部２１２，２２２の形状は、図５に示すように、くさび形にすることにより、弾性材２１，２２を側面に取り付けたＬＣＤ１をＬＣＤホルダ３内に圧入しやすくなる。
【００３１】
そしてまた、図５に示すように、凹部３１１，３２１を外側まで貫通させるようにしてもよい。
その他、この発明の要旨を逸脱しない範囲で種々の変形を施しても同様に実施可能であることはいうまでもない。
【００３２】
【発明の効果】
以上述べたように、この発明では、収容手段の壁面間に発光手段を載置し、そして弾力性のある素材からなる保持手段を上記壁面および表示手段の側面に嵌合させて、表示手段を収容手段の対向する壁面間で保持し、上記表示手段の凸部に保持手段の第１嵌合部が表示面を除いて嵌合するようにしている。
【００３３】
したがって、この発明によれば、両面テープなどの接着剤を用いることなく、表示手段を収容手段内に納めることができるので、接着剤分の厚みだけ全体の厚みを薄くできるとともに、表示領域に制約がなく、ゴミや埃などが表示手段と発光手段との間に挟まるようなことがあっても容易な分解作業で除去でき、そして保持手段の弾性力により、落下などによる破損の虞を著しく低下させることができるので、耐衝撃性に優れた表示装置および携帯端末装置を提供できる。
【図面の簡単な説明】
【図１】この発明に係わる表示装置の一実施形態の構成を示す図。
【図２】図１に示した表示装置の断面と嵌合部分の断面を拡大した図。
【図３】図１に示した表示装置の組み立て工程を示す図。
【図４】この発明に係わる表示装置の変形例の構成を示す図。
【図５】この発明に係わる表示装置の嵌合部の変形例の構成を示す断面図。
【図６】従来の表示装置の構成を示す図。
【図７】図６に示した従来の表示装置の断面と接着部分の断面を拡大した図。
【符号の説明】
１…ＬＣＤ
１１，１２…凸部
２１，２２…弾性材
２１１，２２１…凹部
２１２，２２２…凸部
３…ＬＣＤホルダ
３１，３２…側壁
３１１，３２１…凹部
４…バックライト
５…弾性材
【図１】
0004659291.tif 000002
【図２】
0004659291.tif 000003
【図３】
0004659291.tif 000004
【図４】
0004659291.tif 000005
【図５】
0004659291.tif 000006
【図６】
0004659291.tif 000007
【図７】
0004659291.tif 000008